(57)【要約】【課題】電波漏れの防止及び減衰特性改善のための金属カバーが精度良く取り付けられた誘電体共振部品を提供する。【解決手段】誘電体共振部品は、対向する第１と第２の面を有する複数の共振器が形成された誘電体ブロック１と金属カバー７とからなる。金属カバー７は、一面が、共振器を形成する貫通孔と平行で入出力電極が形成されていない誘電体ブロック１の外面に接し、他の一面が前記第１の面を被うように形成されている。前記第１の面を被う金属カバー７の前記他の一面が前記第１の面と所定の間隔を保つように、金属カバー７には前記第１の面に接する突き出し部８が形成されている。【選択図】図１
2004282671.tif 000002
【特許請求の範囲】
【請求項１】
対向する第１と第２の面を有する誘電体ブロックと、
前記誘電体ブロックの前記第１の面から第２の面にかけて形成された複数の貫通孔と、
該貫通孔内壁に形成された内導体を含む共振導体と、
前記貫通孔と平行な前記誘電体ブロックの外面に形成された入出力電極と、
前記第１の面を除く前記誘電体ブロックの外面に形成された外導体と、
金属カバーとからなる誘電体共振部品であって、
前記金属カバーは、一面が、前記貫通孔と平行で前記入出力電極が形成されていない前記誘電体ブロックの外面に接し、他の一面が前記第１の面を被うように形成されており、さらに、前記第１の面を被う金属カバーの前記他の一面が前記第１の面と所定の間隔を保つように、金属カバーに前記第１の面に接する突き出し部が形成されていることを特徴とする誘電体共振部品。
【発明の詳細な説明】
【０００１】
【発明の属する技術分野】
本発明は、誘電体ブロックに複数の共振器を形成し開放面部に金属カバーを設けてなる誘電体フィルタ、誘電体送受共用器などの誘電体共振部品に関する。
【０００２】
【従来の技術】
携帯電話などの移動通信機器では、送受共用器なども含めて種々の誘電体共振部品が用いられている。従来、誘電体共振部品として、図４に示すように、誘電体ブロックの内部に複数の共振孔を備えた同軸型誘電体共振器を複数配列したものが用いられる。このような誘電体共振部品では、電波漏れの防止及び減衰特性改善のために、その開放面に金属製カバーを被せ、誘電体共振器の外面と導通させ固定する方法がしばしば用いられる。
【０００３】
図４および図５において、略六面体形状の誘電体ブロック１の対向する第１の面１ａと第２の面１ｂを有する略六面体形状の誘電体ブロック１と、前記第１の面１ａから第２の面１ｂにかけて誘電体ブロック１内に形成された複数の貫通孔６と、該貫通孔６の内壁に形成された内導体を含む共振導体３と、前記誘電体ブロック１の外面に形成された外導体５と入出力電極４と、第１の面１ａ（開放面）を覆うように誘電体ブロックの外面に形成された外導部に導通され固定された金属カバー７とからなり、前記第２の面１ｂにおいて前記内導体は前記外導体５と接続している。上記金属カバー７は、図５に示すように所定の間隔Ｄを保って誘電体ブロックの外面に外導体５が形成された外導部に導通され固定される。
図４に示したような誘電体共振部品は、実装基板にはんだ付けなどによって表面実装して用いられるが、その際、入出力電極を形成した一側面Ａ及び金属カバー７の先端部を実装基板側に合わせるように実装される。
【０００４】
また、誘電体フィルタにノッチを形成し、シールドを固定した構造のフィルタ・アセンブリも知られている（特許文献１参照）。
【０００５】
【特許文献１】
特表平６−５１１３７２号公報（第９頁第７図参照）。
【０００６】
【発明が解決しようとする課題】
しかしながら、このような金属カバーを取り付ける場合、図５に示すＤ寸法により誘電体共振部品の特性が大きく変化するため、Ｄ寸法が一定になるように専用の固定ジグを用い半田付け等によって誘電体ブロックの外面に外導体５が形成された外導部に固定していた。しかしこの場合、金属カバー固定用の複雑なジグを用いなければならず、コストがかかるうえ、Ｄ寸法のばらつきが大きく誘電体共振部品の特性がばらつき、歩留を悪化させていた。
【０００７】
また、特許文献１に記載のシールド構造では、誘電体フィルタにノッチを形成する必要があり、工程が複雑となるという問題がある。
【０００８】
本発明の目的は、電波漏れの防止及び減衰特性改善のための金属カバーが精度良く取り付けられた誘電体共振部品を提供することにある。
【０００９】
【課題を解決するための手段】
本発明は、対向する第１と第２の面を有する誘電体ブロックと、前記誘電体ブロックの前記第１の面から第２の面にかけて形成された複数の貫通孔と、該貫通孔内壁に形成された内導体を含む共振導体と、前記貫通孔と平行な前記誘電体ブロックの外面に形成された入出力電極と、前記第１の面を除く前記誘電体ブロックの外面に形成された外導体と、金属カバーとからなる誘電体共振部品であって、前記金属カバーは、一面が、前記貫通孔と平行で前記入出力電極が形成されていない前記誘電体ブロックの外面に接し、他の一面が前記第１の面を被うように形成されており、さらに、前記第１の面を被う金属カバーの前記他の一面が前記第１の面と所定の間隔を保つように、金属カバーに前記第１の面に接する突き出し部が形成されていることを特徴とする。
【００１０】
本発明の誘電体共振部品は、電波漏れの防止及び減衰特性改善のための金属カバーに位置決め用の突き出し部を設けたことで誘電体ブロックの開放面から所定の間隔を簡単に且つ安定して保った状態で金属カバーを誘電体ブロックの外導体部に固定することができ、複雑な固定用ジグを用いなくて良いため製造コストを削減でき、固定寸法も安定するため製品歩留まりが向上する。
【００１１】
【発明の実施の形態】
以下、図面を参照しながら本発明の具体的実施形態を説明する。
図１は、本発明による誘電体共振部品の一実施形態を示す模式的斜視図である。ここで誘電体共振部品自体の基本的な構造は、図４に示すものと同様にしてある。
【００１２】
このような誘電体共振部品おいて、本発明の誘電体共振部品は、金属カバーに第一の面（開放面）側に向かってのびる位置決め用の突き出し部８を設けていることを特徴とする。図１の実施形態では、突き出し部８は、誘電体フィルタの貫通孔に平行な一面に接する金属カバーの面の一部との前記第１の面を被う金属カバーの面とを折り曲げ、一部が前記ブロックの第１の面に接するように形成してある。
【００１３】
金属カバーに位置決め用の突き出し部８を設けることにより、誘電体ブロックの開放面に突き出し部を押し当てるだけで複雑なジグを使用しなくても安定して開放面からの間隔を確保できる。
【００１４】
図１では、２つの突き出し部を設けているが、１つあるいは３つ以上の突き出し部を設けても良い。また、突き出し部のサイズも特性が最良な状態になるように自由に設定できる。
【００１５】
図２は、本発明による誘電体共振部品の第２の実施形態を示す模式的斜視図である。ここで誘電体共振部品自体の基本的な構造は、図４、図１に示すものと同様にしてある。本実施例での金属カバーの突き出し部９は、誘電体ブロックの前記第１の面を被う金属カバーの部分から延長して形成され、その先端部が前記誘電体ブロックの前記第１の面に接するように形成されている。これにより、誘電体ブロックの第１の面を被う金属カバーの一面と誘電体ブロックの第一の面（開放面）との所定の間隔Ｄが確実に確保され、より特性ばらつきの少ない誘電体共振部品が提供される。
【００１６】
図３は、本発明による誘電体共振部品の第３の実施形態を示す模式的斜視図である。本実施形態では、単一の誘電体ブロックに二つのフィルタを構成してなる誘電体送受共用器を構成している。貫通孔と並行な誘電体ブロックの一外面には入力電極１０、出力電極１１、入出力共通電極１２が外導体から絶縁された状態でそれぞれ設けられている。金属カバーは二つのフィルタの第１の面（開放面）をほぼ覆うように配置され、誘電体ブロックの外面に外導体が形成された外導部に導通され固定されている。
【００１７】
金属カバーには、第１の実施形態で示した位置決め用の突き出し部８が１カ所、第２の実施形態で示した位置決め用の突き出し部９が２カ所設けてある。ただし、第２の実施形態で示した位置決め用の突き出し部９は、入力電極１０と入出力共通電極１２との間、出力電極１１と入出力共通電極１２との間に設けてある。これによりさらに開放面から金属カバーまでの間隔が確実に確保でき、要求特性の厳しい誘電体送受共用器においても安定した特性を得ることができる。
【００１８】
位置決め用の突き出し部は、上記位置に限るものではない。
また、突き出し部の寸法も規定されない
【００１９】
【発明の効果】
本発明によれば、対向する第１と第２の面を有する誘電体ブロックと、前記誘電体ブロックの前記第１の面から第２の面にかけて形成された複数の貫通孔と、該貫通孔内壁に形成された内導体を含む共振導体と、前記貫通孔と平行な前記誘電体ブロックの外面に形成された入出力電極と、前記第１の面を除く前記誘電体ブロックの外面に形成された外導体と、金属カバーとからなる誘電体共振部品であって、前記金属カバーは、一面が、前記貫通孔と平行で前記入出力電極が形成されていない前記誘電体ブロックの外面に接し、他の一面が前記第１の面を被うように形成されており、さらに、前記第１の面を被う金属カバーの前記他の一面が前記第１の面と所定の間隔を保つように、金属カバーに前記第１の面に接する突き出し部を設けたことで、誘電体ブロックの第１の面（開放面）から所定の間隔を簡単に且つ安定して保った状態で金属カバーを誘電体ブロックの外導体部に固定することができ、複雑な固定用ジグを用いなくて良いため製造コストを削減でき、固定寸法も安定する誘電体共振部品を得ることができる。
【図面の簡単な説明】
【図１】本発明による誘電体共振部品の実施形態を示す模式的斜視図である。
【図２】本発明による誘電体共振部品の実施形態を示す模式的斜視図である。
【図３】本発明による誘電体共振部品の実施形態を示す模式的斜視図である。
【図４】従来の誘電体共振部品の模式的斜視図である。
【図５】図４の誘電体共振部品の側面図である。
【符号の説明】
１  誘電体ブロック
１ａ  第１の面（開放端面）
１ｂ  第２の面（短絡端面）
３  共振導体
４  入出力電極
５  外導体
６  貫通孔
７  金属カバー
８、９  突き出し部
１０  入力電極
１１  出力電極
１２  入出力電極
Ａ  実装面
【図１】
2004282671.tif 000003
【図２】
2004282671.tif 000004
【図３】
2004282671.tif 000005
【図４】
2004282671.tif 000006
【図５】
2004282671.tif 000007